(57)【要約】      （修正有）【課題】マルチディスプレイ方式において、表示方法に関わらず、バックライトが消灯している状態から、誤動作を防止しつつ、ディスプレイ毎にバックライトを点灯させる。【解決手段】コンピュータ１は、出力元のタッチパネルを特定する特定情報から、タッチパネルを有する表示装置を特定する表示装置特定部８３１ａと、特定された当該表示装置のバックライトが消灯しているときに、タッチパネルからの検出信号を無効とすると共に、当該表示装置３バックライトを点灯する、点灯実行部８３１ｂを備えている。【選択図】図２
2018084865.tif 000002
【特許請求の範囲】
【請求項１】
表示制御装置に接続される複数の表示装置のそれぞれに設けられたセンサから出力される検出信号に付与された、出力元の前記センサを特定する特定情報から、前記表示装置を識別する識別情報と、前記表示装置が有する前記センサの予め定められている前記特定情報との対応付けを参照して、前記センサを有する前記表示装置を特定する表示装置特定部と、
特定された当該表示装置のバックライトが消灯しているときに前記検出信号を無効とすると共に、当該表示装置のバックライトを点灯する、点灯実行部を備えていることを特徴とする表示制御装置。
【請求項２】
各前記センサからの前記検出信号の出力が、前記表示制御装置の起動から、または、前回の前記検出信号の出力から、所定時間以上ない場合、当該所定時間以上、前記検出信号の出力がない前記センサを有する前記表示装置の前記バックライトを消灯する消灯制御部を備えていることを特徴とする請求項１に記載の表示制御装置。
【請求項３】
前記センサは、タッチパネルであることを特徴とする請求項１または２に記載の表示制御装置。
【請求項４】
請求項１から３のいずれか１項に記載の表示制御装置と、
前記表示制御装置に接続される複数の表示装置と、を備え、
前記表示装置は、
前記センサから出力される前記検出信号に出力元の前記センサを特定する特定情報を付与する特定情報付与部を有していることを特徴とする表示システム。
【発明の詳細な説明】
【技術分野】
【０００１】
本発明は、複数の表示装置における画面の表示を制御する表示制御装置に関する。
【背景技術】
【０００２】
近年、コンピュータのグラフィック性能が向上してきたことや、コンピュータの利用形態の多様化が進んだことなどにより、１台のコンピュータに複数のディスプレイを接続して表示するマルチディスプレイが行なわれるようになってきている。また、マルチディスプレイ方式において、様々な省エネルギーに関する提案がされている。
【０００３】
例えば、特許文献１には、Ｗｉｎｄｏｗｓ（登録商標）の標準的な機能を利用して、各ディスプレイに省電力を図る壁紙画像またはスクリーン・セイバ画像を表示するコンピュータ・システムが開示されている。特許文献１に開示されているコンピュータ・システムは、ディスプレイのアスペクト比と省電力を図るための画像の色調を判断する情報を含む各ディスプレイの識別情報を取得する。そして、取得した各ディスプレイの識別情報に基づいて、拡張モードで表示する壁紙画像の色調が、各ディスプレイに対応して部分的に白または黒を基調にするように調整した結合ファイルを、各ディスプレイに表示する。
【先行技術文献】
【特許文献】
【０００４】
【特許文献１】特開２００９−２５１２７３号公報（２００９年１０月２９日公開）
【発明の概要】
【発明が解決しようとする課題】
【０００５】
しかしながら、ＰＣ（パーソナルコンピュータ）は、本来、一人のオペレータの専用機器であるため、マルチディスプレイ方式において、各ディスプレイ、および各ディスプレイに設けられるタッチパネルを区別していない。そのため、マルチディスプレイ方式において、表示方法によりタッチ入力を個別に管理できない場合がある。
【０００６】
具体的には、マルチディスプレイ方式では、複数の画面を１つの画面として扱う拡張表示、または、同じ画面を複数のディスプレイに表示するクローン表示のいずれかの表示を行うができる。マルチディスプレイ方式において、複数のディスプレイに拡張表示を行う場合では、各ディスプレイにより座標が異なる。そのため、ディスプレイ毎のタッチ入力の管理が可能である。それに対して、複数のディスプレイにクローン表示を行う場合、各ディスプレイにおけるタッチ入力が同一表示座標となる。そのため、クローン表示を行う場合、いずれのタッチパネルからのタッチ入力かが判別できず、ディスプレイ毎のタッチ入力を管理できない。マルチディスプレイ方式において、表示方法によりタッチ入力を個別に管理できない場合があることにより、下記の問題がある。
【０００７】
一般的に、タッチパネルを有するディスプレイ（以下、タッチパネル付きディスプレイと称する）を備えたコンピュータは、バックライトによる電力消費を抑えるために、通常モードにおいて一定時間にタッチパネルへのタッチが無かったときに、バックライトを消灯する省電力モードに移行する。そして、このようなコンピュータは、省電力モードにおいてタッチパネルがタッチされると、バックライトを点灯させて、省電力モードから通常モードに復帰する。しかし、従来の技術では、マルチディスプレイ方式において、タッチ入力をタッチパネル付きディスプレイ毎に管理できない表示方法で表示している場合、いずれのタッチパネル付きディスプレイからのタッチ入力かを判別できない。そのため、例えば、タッチパネル付きディスプレイがバックライトの点灯を同時にしてしまい、効率よく省電力を行えないという問題がある。
【０００８】
また、バックライトが消灯しているために画面が見えない状態であっても、アプリケーションプログラムは動作していることがある。この場合、バックライトを点灯させるために、ユーザがタッチパネル付きディスプレイにしたタッチ入力が、バックライトの点灯だけでなく、表示されているアプリケーションプログラムの画面上の入力部分を操作するタッチとして誤動作してしまうという問題がある。
【０００９】
本発明の一態様は、マルチディスプレイ方式において、表示方法に関わらずバックライトが消灯している状態から、誤動作を防止しつつ、ディスプレイ毎にバックライトを点灯させることを目的とする。
【課題を解決するための手段】
【００１０】
上記の課題を解決するために、本発明の一態様に係る表示制御装置は、表示制御装置に接続される複数の表示装置のそれぞれに設けられたセンサから出力される検出信号に付与された、出力元の前記センサを特定する特定情報から、前記表示装置を識別する識別情報と、前記表示装置が有する前記センサの予め定められている前記特定情報との対応付けを参照して、前記センサを有する前記表示装置を特定する表示装置特定部と、特定された当該表示装置のバックライトが消灯しているときに前記検出信号を無効とすると共に、当該表示装置のバックライトを点灯する、点灯実行部を備えていることを特徴とする。
【００１１】
上記構成によれば、表示制御装置に接続される複数の表示装置のそれぞれに設けられたセンサから出力される検出信号に付与された特定情報に基づき、上記検出信号の出力元の表示装置が、表示装置特定部により特定される。また、特定された表示装置のバックライトが消灯している場合、点灯実行部により当該表示装置のバックライトが点灯される。これにより、マルチディスプレイ方式において、所望の表示装置のみ、バックライトが消灯している状態からバックライトを点灯させることができる。
【００１２】
また、バックライトを点灯する場合、点灯実行部により当該検出信号が無効とされる。これにより、例えば、バックライトが消灯している表示装置に対して、バックライトを点灯するためにユーザがセンサに行った操作が、アプリケーションの操作に用いられない。
【００１３】
以上により、上記構成によれば、マルチディスプレイ方式において、表示方法に関わらずバックライトが消灯している状態から、誤動作を防止しつつ、表示装置毎にバックライトを点灯させることができる。
【００１４】
前記表示制御装置において、各前記センサからの前記検出信号の出力が、前記表示制御装置の起動から、または、前回の前記検出信号の出力から、所定時間以上ない場合、当該所定時間以上、前記検出信号の出力がない前記センサを有する前記表示装置の前記バックライトを消灯する消灯制御部を備えていることが好ましい。
【００１５】
上記構成によれば、各センサにおいて表示制御装置の起動から、または、前回の検出信号の出力から、所定時間以上、検出信号の出力がない場合、消灯制御部により当該所定時間以上、検出信号の出力がないセンサを有する表示装置のバックライトが消灯される。これにより、マルチディスプレイ方式において、バックライトが点灯している状態から、表示装置毎にバックライトを消灯させることができる。
【００１６】
前記表示制御装置において、前記センサは、タッチパネルであることが好ましい。
【００１７】
上記構成によれば、マルチディスプレイ方式において、省エネによりバックライトが消灯している状態から、誤動作を防止しつつ、表示装置毎にバックライトを点灯させることができる表示制御装置をタッチパネルが設けられた表示装置で実現することができる。
【００１８】
上記の課題を解決するために、本発明の一態様に係る表示システムは、前記表示制御装置と、前記表示制御装置に接続される複数の表示装置と、を備え、前記表示装置は、前記センサから出力される前記検出信号に出力元の前記センサを特定する特定情報を付与する特定情報付与部を有していることが好ましい。
【００１９】
上記構成によれば、上記本発明の一態様に係る表示制御装置と同様の効果を奏する。
【発明の効果】
【００２０】
本発明の一態様によれば、マルチディスプレイ方式において、表示方法に関わらず、バックライトが消灯している状態から、誤動作を防止しつつ、ディスプレイ毎にバックライトを点灯させることができるという効果を奏する。
【図面の簡単な説明】
【００２１】
【図１】本発明の実施形態１に係る表示システムの構成を示すブロック図である。
【図２】上記表示システムにおけるコンピュータの要部の構成を示すブロック図である。
【図３】（ａ）および（ｂ）は、上記表示システムにおける表示装置のバックライトの点灯例を示す図である。
【図４】上記表示システムのタッチ信号の流れの一例を示す図である。
【図５】上記表示システムのコンピュータによるバックライト点灯処理の一例を示すフローチャート図である。
【図６】上記表示システムのコンピュータによるバックライト消灯処理の一例を示すフローチャート図である。
【発明を実施するための形態】
【００２２】
〔実施形態１〕
本発明の実施形態１について図１〜図６に基づいて説明すると、以下の通りである。図１は、本実施形態に係る表示システム１０の構成を示すブロック図である。図２は、表示システム１０におけるコンピュータ１の要部の構成を示すブロック図である。
【００２３】
（表示システム）
まず、表示システム１０の概要について説明する。
【００２４】
図１に示すように、表示システム１０は、コンピュータ１（表示制御装置）と、複数の表示装置３と、ＬＡＮ（Local Area Network）６とを備えている。コンピュータ１および表示装置３は、ＬＡＮ６（ネットワーク）を介した通信を行なうことができるように、ＬＡＮケーブル、ルータ等を介して相互に接続されている。
【００２５】
コンピュータ１は、表示装置３を制御するとともに、表示装置３から得られたデータを収集する機能を備えている。コンピュータ１は、表示装置３と独立して設けられているが、表示装置３と一体となって設けられていてもよい。
【００２６】
表示装置３は、液晶表示パネルからなる表示パネル３１と、バックライト３１ａと、表示コントローラ３１１と、表示パネル３１の表示面に重ねて配置されたタッチパネル３２（センサ）と、タッチパネルコントローラ３２１と、変換アダプタ９と、を備えている。表示装置３は、タッチパネル３２により、表示パネル３１の表示面上での操作が可能となる操作型表示装置として機能する。また、表示装置３は、ＬＡＮ通信機器であり、変換アダプタ９を介してＬＡＮ６に接続されている。
【００２７】
表示パネル３１は、コンピュータ１からの表示データに基づき画像等を表示する。
【００２８】
表示コントローラ３１１は、コンピュータ１からの表示制御信号（輝度調整信号、色調整信号等）に基づいて、表示パネル３１の表示状態を制御する。表示制御信号は、表示データを含むものであり、表示コントローラ３１１により表示パネル３１に供給されて、画面や映像等の表示を表示パネル３１に可能にする。
【００２９】
バックライト３１ａは、表示パネル３１の裏側に設けられている。バックライト３１ａは、表示パネル３１に対して、その裏側から光を照射する。これにより、表示パネル３１に表示された画像等が目視できるようになる。
【００３０】
タッチパネルコントローラ３２１は、タッチパネル３２へのタッチ入力への結果としてタッチパネル３２から出力される検出信号に基づいて、タッチされた位置のタッチ座標を検出し、タッチ信号をＵＳＢケーブルで通信可能な信号（以降、ＵＳＢ信号と称する）として変換アダプタ９に出力する。
【００３１】
変換アダプタ９（特定情報付与部）は、表示パネル３１に入力される表示データをＬＡＮケーブルで送信可能な信号（以降、ＬＡＮ信号と称する）から、ＵＳＢ信号へ変換する。変換アダプタ９は、例えば、ＵＳＢ−ビデオ変換ドライバ等により、ＵＳＢ信号をビデオ信号に変換する。表示コントローラ３１１は、そのビデオ信号に基づき、表示パネル３１の表示状態を制御する。
【００３２】
また、変換アダプタ９は、タッチパネルコントローラ３２１からのＵＳＢ信号（タッチ信号）をＬＡＮ信号に変換する。
【００３３】
変換アダプタ９は、タッチパネルコントローラ３２１から出力されるタッチ信号（操作信号、検出信号）に、出力元のタッチパネル３２を特定する特定情報を付与する。変換アダプタ９は、例えば、ＵＳＢ信号であるタッチ信号をＬＡＮ信号に変換するタイミングで、ＵＳＢ信号の一部（使ってない部分）をＭＡＣ（Media Access Control）アドレスに変換することで、タッチ信号にＭＡＣアドレスを付与する。
【００３４】
続いて、コンピュータ１について詳細に説明する。
【００３５】
コンピュータ１は、汎用のＯＳ（Operating System）を実装しており、アプリケーションプログラムを実行する機能を備えている。また、コンピュータ１としては、パーソナルコンピュータ、ワークステーション、産業用コンピュータなどが用いられる。産業用コンピュータは、工場などの厳しい環境に適合するように、防塵性、防滴性、耐振動性などを高めた専用のコンピュータである。
【００３６】
本実施形態において、コンピュータ１（表示制御装置）は、アプリケーションプログラムを実行する。コンピュータ１としては、制御対象の監視および制御を行うプログラマブル表示器、ＳＣＡＤＡ（Supervisory Control And Data Acquisition）のような監視・制御システムなどが該当する。アプリケーションプログラムは、ＨＭＩ機器で行われるような、外部機器との通信、当該外部機器から取得したデータの表示、入力装置を用いた操作者による操作の受け付けなどの各種の機能を実現するアプリケーションプログラムであってもよい。このアプリケーションプログラムは、アプリケーションプログラムを伝送可能な任意の伝送媒体（通信ネットワーク、放送波など）を介してコンピュータ１に供給されてもよい。なお、アプリケーションプログラムは、電子的な伝送によって具現化された、搬送波に埋め込まれたデータ信号の形態でも実現され得る。
【００３７】
まず、コンピュータ１のハードウェア構成について説明する。
【００３８】
図１に示すように、コンピュータ１は、ＣＰＵ（Central ProcessingUnit）１１と、メインメモリ１２と、ＲＯＭ（Read Only Memory）１３と、補助記憶装置１４と、入力部１５と、出力部１６と、ＬＡＮインターフェース部１７とを備えている。
【００３９】
ＣＰＵ１１は、アプリケーションプログラムを実行する処理装置である。具体的には、ＣＰＵ１１は、アプリケーションプログラムの実行に際して、メインメモリ１２、補助記憶装置１４、入力部１５などからデータを受け取り、当該データに対して演算または加工を施した上で、メインメモリ１２、補助記憶装置１４、出力部１６等に出力する。
【００４０】
メインメモリ１２は、コンピュータ１における主記憶装置を構成するメモリであり、ＤＲＡＭ（Dynamic Random Access Memory）によって構成される。
【００４１】
ＲＯＭ１３は、コンピュータ１の起動時やリセット時に実行されるＢＩＯＳ（BasicInput Output System）などの、コンピュータ１の動作に不可欠なプログラムを記憶している。
【００４２】
補助記憶装置１４は、ＯＳ、アプリケーションプログラムＲ、各種のデータなどを記憶する大容量の記憶装置であり、ＨＤＤ（Hard Disc Drive）、ＳＳＤ（Solid State Drive）などで構成される。また、補助記憶装置１４には、表示装置対応テーブルＴが記憶されている。
【００４３】
表示装置対応テーブルＴは、各表示装置３を特定するＩＤ（識別情報）と、各表示装置３が有するタッチパネル３２を特定する特定情報と、が対応付けられて保存されている。さらに、表示装置対応テーブルＴには、各表示装置３のバックライト３１ａが点灯しているか否かが、後述するバックライト管理部８３３により書き込まれている。
【００４４】
入力部１５は、ユーザによる入力操作に用いられ、タッチパネル、マウス、キーボードなどの各種の入力機器が装備される。
【００４５】
出力部１６は、ＯＳおよびアプリケーションプログラムの実行に伴ってコンピュータ１の内部で生成される、画像、音、文字などの各種の出力情報の出力に用いられ、ディスプレイ、スピーカ、プリンタなどの各種の出力機器が装備される。
【００４６】
入力部１５および出力部１６は、コンピュータ１に搭載される機器であってもよいが、外部機器としてコンピュータ１に接続される機器であってもよい。このような外部機器は、コンピュータ１と接続されることにより、コンピュータ１と一体に稼働する。
【００４７】
ＬＡＮインターフェース部１７は、外部機器をコンピュータ１とＬＡＮ（LocalArea Network）通信が可能となるように接続するための接続部である。
【００４８】
（コンピュータのシステム構成）
続いて、コンピュータ１のシステム構成について説明する。
【００４９】
図２に示すように、コンピュータ１には、オペレーティングシステム（以降「ＯＳ」と称する）７が実装されるとともに、表示操作制御部８が設けられている。
【００５０】
ＯＳ７は、上述したメインメモリ１２、ＲＯＭ１３、補助記憶装置１４、入力部１５、出力部１６およびＬＡＮインターフェース部１７の管理など、アプリケーションプログラムに共通して利用される基本的な機能を提供し、コンピュータ１のシステム全体を管理するプログラムである。ＯＳ７は、操作指示受付部７１と、アプリケーションプログラム実行部７２とを備えている。
【００５１】
操作指示受付部７１は、操作制御部８１からの操作信号を受け付ける。
【００５２】
アプリケーションプログラム実行部７２は、後述する点灯制御部８３１からの出力に基づいて、補助記憶装置１４のアプリケーションプログラムＲを参照し、アプリケーションプログラムを実行する。
【００５３】
（表示操作制御部）
表示操作制御部８は、ユーザの操作入力に基づいて各部を制御する操作制御部８１と、各表示装置３の表示を制御する表示制御部８２と、各表示装置３のバックライト３１ａの点灯・消灯を制御するバックライト制御部８３と、を備えている。
【００５４】
操作制御部８１は、タッチパネル３２におけるユーザのタッチによる入力操作に応じた操作信号を発生する。言い換えると、操作制御部８１は、タッチ信号の位置座標情報に基づいて、ＯＳ７が処理可能なタッチ操作イベントを生成する。操作信号としては、アプリケーションプログラムの実行に伴って表示された画面（以降、アプリケーション画面と称する）上の入力部分へ入力の指示などがある。操作制御部８１は、操作信号およびタッチ信号に付与されていた特定情報を、ＯＳ７の操作指示受付部７１に出力する。
【００５５】
表示制御部８２は、アプリケーションプログラム実行部７２の指示に基づいて表示装置３にアプリケーション画面を表示させる制御処理を行う。また、表示制御部８２は、各表示装置３に与えるための表示制御信号を生成する。表示制御部８２は、各表示装置３に同じアプリケーション画面を表示（クローン表示）する、または、各表示装置３にアプリケーション画面を分けて表示（拡張表示）する。
【００５６】
（バックライト制御部）
バックライト制御部８３は、例えば、後述するフックイベントハンドラ５０によって実現される。バックライト制御部８３は、点灯制御部８３１と、消灯制御部８３２と、バックライト管理部８３３と、を備えている。
【００５７】
点灯制御部８３１は、表示装置特定部８３１ａ、および、点灯実行部８３１ｂを備えている。
【００５８】
表示装置特定部８３１ａは、複数の表示装置３にそれぞれに設けられたタッチパネル３２から出力されるタッチ信号に付与された上述の特定情報に基づき、表示装置対応テーブルＴを参照して、タッチ信号を出力したタッチパネル３２を有する表示装置３を特定する。
【００５９】
点灯実行部８３１ｂは、特定した表示装置３のバックライト３１ａが消灯しているか否かを、表示装置対応テーブルＴを参照して判断し、特定した表示装置３のバックライト３１ａが消灯している場合、タッチ信号を無効とし、表示装置３のバックライト３１ａを点灯する。
【００６０】
消灯制御部８３２は、（１）コンピュータ１の起動時から、または、（２）各タッチパネル３２において前回のタッチ信号の出力時から、所定時間以上タッチ信号の出力がない場合、当該表示装置３のバックライト３１ａを消灯する。消灯制御部８３２は、計時部８３２ａおよび消灯実行部８３２ｂを備えている。
【００６１】
計時部８３２ａは、各表示装置３に対して、コンピュータ１の起動時点からの時間を計測し、コンピュータ１が起動してからタッチがない状態が所定時間続いたか否かを計測時間に基づいて判定する。また、計時部８３２ａは、表示装置３においてタッチがあると、当該表示装置３に対して、タッチがあった時点からの時間を計測し、前回のタッチがあってからタッチがない状態が所定時間続いたか否かを計測時間に基づいて判定する。
【００６２】
消灯実行部８３２ｂは、コンピュータ１が起動してからタッチがない状態が所定時間続いた場合、または、各表示装置３において、バックライトが点灯している状態の前回のタッチからタッチがない状態が所定時間続いた場合、当該表示装置３のバックライト３１ａを消灯する。
【００６３】
バックライト管理部８３３は、各表示装置３のバックライト３１ａの点灯・消灯を管理する。具体的には、バックライト管理部８３３は、点灯実行部８３１ｂおよび消灯実行部８３２ｂの指示を受けて、表示パネル対応テーブルＴの各表示装置３の点灯・消灯状態を更新する。また、点灯制御部８３１および消灯制御部８３２の指示に基づき、各表示装置３に、バックライト３１ａの点灯または消灯の指示を表示装置３に出力する。
【００６４】
（バックライト点灯処理）
続いて、上記のように構成されるコンピュータ１におけるバックライト点灯処理について、図１〜図５を参照して説明する。図３は、表示装置３のバックライトの点灯例を示す図である。図３の（ａ）は、表示システム１０の表示装置３のバックライトが消灯している状態を示し、図３の（ｂ）は、図３の（ａ）の状態から、タッチした表示装置３のバックライトのみが点灯した状態を示す。図４は、表示システム１０の信号の流れの一例を示す図である。図５は、コンピュータ１によるバックライト点灯処理の一例を示すフローチャート図である。なお、図３の（ａ）・（ｂ）の表示装置付ＰＣ１ａは、コンピュータ１、および表示装置３が一体型となったものであり、図３の（ａ）の破線は、特定情報の流れを示し、図３の（ｂ）の破線は、点灯を指示する信号の流れを示す。
【００６５】
ここでは、図３の（ａ）に示すように、１台の表示装置付ＰＣ１ａと、２台の表示装置３ａ・３ｂとがＬＡＮ６に接続されるシステムを例に挙げて説明する。表示装置付ＰＣ１ａは、図１に示すコンピュータ１が、入力部１５としてタッチパネルを備えると共に、出力部１６としてディスプレイを備えたものである。
【００６６】
図３の（ａ）に示すように、表示装置付ＰＣ１ａに接続されている表示装置３ａ・３ｂのバックライトが消灯している状態で、ユーザが表示装置３ｂの表示面にタッチする。上記タッチは、まず、図４に示すように、タッチパネルコントローラ３２１によりタッチ座標が検出される。検出された座標は、タッチ信号として変換アダプタ９にて特定情報を付与され、コンピュータ１のタッチパネルドライバ１８（図２で示す操作制御部８１）に出力される。タッチパネルドライバ１８は、タッチ信号の位置座標情報に基づいて、ＯＳ７が処理可能なタッチ操作信号を生成し、操作信号および特定情報をＯＳ７の操作指示受付部７１に出力する。
【００６７】
その後、通常であれば、ＯＳ７の操作指示受付部７１からの操作信号に基づくタッチ入力イベント５１が、ＯＳ７のアプリケーションプログラム実行部７２に出力される。しかし、本実施形態では、バックライト制御部８３の一実現形態であるフックイベントハンドラ５０を設けている。フックイベントハンドラ５０は、操作指示受付部７１からのタッチ入力イベント５１を、アプリケーションプログラム実行部７２に渡る前に捕捉する。
【００６８】
フックイベントハンドラ５０は、バックライト制御部８３の点灯制御部８３１が行なうように、タッチ入力イベント５１に含まれる特定情報に基づいて表示装置３ｂを特定する。また、フックイベントハンドラ５０は、当該表示装置３ｂが消灯している場合、タッチ入力イベント５１を無効にして、図３の（ｂ）に示すように、表示装置３ｂのバックライト３１ａを点灯させる。
【００６９】
ここで、フックイベントハンドラ５０、すなわち、バックライト制御部８３の点灯制御部８３１が行なうバックライト点灯制御の処理手順を、図５に沿って説明する。まず、点灯制御部８３１に、操作信号、および特定情報が入力されると、表示装置特定部８３１ａは、特定情報に示されるタッチパネル３２が設けられている表示装置３を特定する（ステップＳ１１）。このように、タッチ信号に特定情報を付与されることで、どのタッチパネル３２からのタッチ信号であるかを判断することができる。点灯実行部８３１ｂは、特定した表示装置３のバックライト３１ａが、消灯しているか否かを判定する（ステップＳ１２）。ここで、表示装置特定部８３１ａは、表示装置対応テーブルＴを参照して、特定情報に基づき、タッチが行われたタッチパネル３２を有する表示装置３、例えば、図３の（ａ）に示す例では表示装置３ｂ、を特定する。また、点灯実行部８３１ｂは、特定した表示装置３のバックライト３１ａが消灯しているか否かを、表示装置対応テーブルＴより判定する。
【００７０】
特定情報に示されるタッチパネル３２を有する表示装置３のバックライト３１ａが消灯している場合（ステップＳ１２でＹＥＳ）、操作信号の基となるタッチが、バックライト３１ａが消灯している表示装置３に対してされている。この場合、点灯実行部８３１ｂは、タッチ（操作信号）を無効とすると共に、図３の（ｂ）に示すように、当該表示装置３ｂのバックライトを点灯して（ステップＳ１３）、処理を終える。
【００７１】
特定情報に示されるタッチパネル３２を有する表示装置３のバックライト３１ａが点灯している場合（ステップＳ１２でＮＯ）、操作信号の基となるタッチが、バックライト３１ａが点灯している表示装置３に対してされている。この場合、点灯制御部８３１は、操作信号（タッチ入力イベント５１）をアプリケーションプログラム実行部７２に出力する。アプリケーションプログラム実行部７２は操作信号に基づき、アプリケーションプログラムにしたがった処理を実行して（ステップＳ１４）、処理を終える。
【００７２】
（バックライト消灯処理）
続いて、上記のように構成されるコンピュータ１におけるバックライト消灯処理について、図１、２、および６を参照して説明する。図６は、コンピュータ１によるバックライト消灯処理の一例を示すフローチャート図である。
【００７３】
コンピュータ１が起動すると、または、何れかの表示装置３にタッチがあると（ステップＳ２１）、計時部８３２ａは、各表示装置３において、コンピュータ１の起動から時間の計測を開始する、または、タッチがあった当該表示装置３において、タッチがあった時点からの時間の計測を開始する（ステップＳ２２）。何れの表示装置３でタッチがあったかは、操作信号に付与されている特定情報、および表示装置対応テーブルＴにより判定する。
【００７４】
その後、計時部８３２ａは、コンピュータ１の起動から、または、当該表示装置３において、前回のタッチがあってからタッチがない状態が所定時間経過したか否かを判定する（ステップＳ２３）。
【００７５】
コンピュータ１の起動から、または、前回のタッチからタッチがない状態が所定時間続いた場合（ステップＳ２３でＹＥＳ）、消灯実行部８３２ｂは、当該表示装置３のバックライト３１ａを消灯して（ステップＳ２５）、処理を終える。
【００７６】
当該表示装置３において、コンピュータ１の起動から、または、前回のタッチからタッチがない状態が所定時間経過していない場合（ステップＳ２３でＮＯ）、ステップ２３の判定処理を続ける。
【００７７】
（実施形態の効果）
本実施形態のコンピュータ１は、表示装置３のタッチパネル３２毎にタッチ入力を識別できるので、表示装置３への表示が、拡張表示、またはクローン表示であるかに関係なく、省電力を目的として、表示装置３毎に、バックライト３１ａを点灯できる。
【００７８】
また、本実施形態では、画面が見えない状態（バックライト３１ａが消灯している状態）でのタッチ入力を、アプリケーションプログラム実行部７２に渡る前に無効とすることで、バックライト３１ａを点灯させるためのタッチによるコンピュータ１の誤動作を防止することができる。
【００７９】
なお、表示装置３は、ＬＡＮ６に限らず、他のケーブルを介してコンピュータ１に接続されていてもよい。具体的には、タッチ信号および表示制御信号の伝送にはＵＳＢケーブルが用いられ、表示データの伝送にはＲＧＢケーブルが用いられる。その場合、変換アダプタ９に代えて、タッチパネルコントローラが、タッチパネル３２のＩＤをタッチパネル３２から出力されるタッチ信号に付加し、そのＩＤにより、当該タッチ信号が出力されたタッチパネル３２を特定してもよい。
【００８０】
また、表示装置３の入力装置はタッチパネル３２に限らない。マウスはもちろん、ジェスチャー、人感センサ等の非接触で入力する装置であっても適用可能である。
【００８１】
〔ソフトウェアによる実現例〕
コンピュータ１の制御ブロック（特にバックライト制御部８３）は、集積回路（ＩＣチップ）等に形成された論理回路（ハードウェア）によって実現してもよいし、ＣＰＵ（Central Processing Unit）を用いてソフトウェアによって実現してもよい。
【００８２】
後者の場合、コンピュータ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８４】
１  コンピュータ（表示制御装置）
３  表示装置
９  変換アダプタ（特定情報付与部）
３１ａ  バックライト
３２  タッチパネル（センサ）
８３１  点灯制御部
８３１ａ  表示装置特定部
８３１ｂ  点灯実行部
８３２  消灯制御部
【図１】
2018084865.tif 000003
【図２】
2018084865.tif 000004
【図３】
2018084865.tif 000005
【図４】
2018084865.tif 000006
【図５】
2018084865.tif 000007
【図６】
2018084865.tif 000008